(57)【特許請求の範囲】
【請求項１】
楽器を支持する楽器受け部と、楽器受け部を固定するための固定部を備え、ばね弾性を
有する弾性部を介して楽器受け部を固定部に連結し、固定部を固定するための固着具を通す上部穴と下部穴を、固定部に上下に対向する位置において設け、上部穴と下部穴を同一円周上に沿って配置して成ることを特徴とする楽器置き台。
【請求項２】
上記の上部穴と下部穴を設けた固定部の表面に対して垂直な回転軸を中心にして、楽器
受け部を回動自在にして成ることを特徴とする請求項１に記載の楽器置き台。
【請求項３】
楽器受け部を楽器の下部を支持する下部受け部と、楽器の上部を支持する上部受け部とから形成し、上部受け部を高さ調整自在に形成して成ることを特徴とする請求項１又は２に記載の楽器置き台。
【請求項４】
楽器受け部を折畳み自在に形成して成ることを特徴とする請求項１乃至３のいずれかに記載の楽器置き台。
【請求項５】
楽器受け部の下部受け部を二股に分岐する一対の受け片で形成し、この一対の受け片間に掛け渡して脱着自在に取り付けられる受けシートを備えて成ることを特徴とする請求項３又は４に記載の楽器置き台。
【請求項６】
縦に張られたネットと、天井と床との間に立てられたポールの少なくとも一方に、上記の固定部を固定するための固定具を備えて成ることを特徴とする請求項１乃至５のいずれかに記載の楽器置き台。
【請求項７】
スピーカーに脱着自在に取り付けられ、上記の固定部を固定する取付具を備えて成る請求項１乃至５のいずれかに記載の楽器置き台。
【請求項８】
上記の取付具に、マイクロフォンを支持するマイクホルダーを設けて成ることを特徴とする請求項７に記載の楽器置き台。
【発明の詳細な説明】
【技術分野】
【０００１】
本発明は、ギターなどの楽器を壁面等に保持して、展示しつつ保管するために用いられる楽器置き台に関するものである。
【背景技術】
【０００２】
ギターなどの楽器を室内外に保管するにあたって、一般的にはスタンドに楽器を立て掛けて、床の上に置くようにするのが一般的である（例えば特許文献１等参照）。
【０００３】
しかしこのように楽器をスタンドで床の上に立て掛けて保管する場合、室内であれば、室内スペースを狭めて邪魔になることがあり、また室内で活動する際に楽器やスタンドに不用意に接触し易く、このときには楽器を転倒させてしまい、楽器を損傷させるおそれがある。
【０００４】
一方、壁面などにホルダーを取り付け、このホルダーに例えばギターのネックのヘッドなどを引っ掛けることによって、壁面に楽器を保管することができるようにしたものもある（例えば特許文献２等参照）。
【０００５】
このように壁面に楽器を保持して保管するようにすれば、室内スペースを狭めるようなことがなくなり、また不用意に楽器に接触して転倒させてしまうようなこともなくなる。しかも、壁面に楽器を展示することができるものであり、愛用の楽器を室内のインテリアとして利用する効果も高くなるものである。
【先行技術文献】
【特許文献】
【０００６】
【特許文献１】特開２００２−９１４３２号公報
【特許文献２】特開２００５−１０７８２号公報
【発明の概要】
【発明が解決しようとする課題】
【０００７】
しかし上記のように壁面にホルダーで楽器を保持して保管する場合、地震の際など、大きな揺れが生じたときに、壁面からホルダーに振動が伝わって、ホルダーから楽器が外れるおそれがある。そしてこのようにホルダーから楽器が外れると、楽器は壁面の高所から床面に落下することになるので、大きな衝撃が楽器に加わって、致命的な破損が楽器に生じるおそれがあるという問題があった。
【０００８】
本発明は上記の点に鑑みてなされたものであり、楽器を展示しつつ保管することができると共に、地震の際など揺れが生じても楽器を落下させることなく保持することができる楽器置き台を提供することを目的とするものである。
【課題を解決するための手段】
【０００９】
本発明に係る楽器置き台は、楽器２を支持する楽器受け部３と、楽器受け部３を固定するための固定部１を備え、ばね弾性を有する弾性部４を介して楽器受け部３を固定部１に連結して成ることを特徴とするものである。
【００１０】
この発明によれば、固定部１を壁面などに固定して取り付けた状態で、楽器受け部３に楽器２を支持させることによって、楽器２を壁面等に展示しつつ保管することができるものであり、また楽器受け部３は弾性部４を介して固定部１に連結されているため、地震の際など揺れが生じても弾性部４で吸収されて振動が楽器受け部３に伝わることを抑制することができ、楽器受け部３から楽器２が外れて落下することを防ぐことができるものである。
【００１１】
また本発明は、固定部１を固定するための固着具５を通す上部穴６と下部穴７を、固定部１に上下に対向する位置において設け、上部穴６と下部穴７を同一円周上に沿って配置して成ることを特徴とするものである。
【００１２】
この発明によれば、例えば、壁面などに上部穴６と下部穴７を通して固着具５を打入することによって固定部１を取り付けるにあたって、壁面などに固着具５を打入する位置を変更することなく、固着具５を通す上部穴６と下部穴７の位置を変更することによって、固定部１を壁面などに垂直姿勢で取り付けたり傾斜姿勢で取り付けたりすることができるものであり、楽器２を垂直姿勢や傾斜姿勢の好みの姿勢で壁面などに保管することができるものである。
【００１３】
また本発明は、上記の上部穴６と下部穴７を設けた固定部１の表面に対して垂直な回転軸８を中心にして、楽器受け部３を回動自在にして成ることを特徴とするものである。
【００１４】
この発明によれば、固定部１を傾斜姿勢で取り付けた状態においても、回動自在な楽器受け部３を水平にした状態で楽器２を支持することができるものであり、楽器２を安定して保持することができるものである。
【００１５】
また本発明は、上記の楽器受け部３を楽器２の下部を支持する下部受け部３ａと、楽器２の上部を支持する上部受け部３ｂとから形成し、上部受け部３ｂを高さ調整自在に形成して成ることを特徴とするものである。
【００１６】
この発明によれば、下部受け部３ａと上部受け部３ｂによって楽器２を上部と下部の２ヶ所で安定して支持することができると共に、上部受け部３ｂの高さを調整することによって、高さの異なる各種の楽器２を安定して支持することができるものである。
【００１７】
また本発明は、楽器受け部３を折畳み自在に形成して成ることを特徴とするものである。
【００１８】
この発明によれば、楽器２を保管しないときには、楽器受け部３を折畳んで壁面などからの突出寸法を小さくして、邪魔にならないようにすることができるものである。
【００１９】
また本発明は、楽器受け部３の下部受け部３ａを二股に分岐する一対の受け片５０で形成し、この一対の受け片５０間に掛け渡して脱着自在に取り付けられる受けシート５１を備えて成ることを特徴とするものである。
【００２０】
この発明によれば、ギターなど下部が比較的大きい楽器は、下部受け部３ａを形成する一対の受け片５０間に渡した状態で楽器の下部を載置して支持することができると共に、バイオリンなど下部が比較的小さい楽器は、一対の受け片５０間に掛け渡して取り付けた受けシート５１の上に楽器の下部を載置して支持することができ、大小各種の楽器を支持することが可能になるものである。
【００２１】
また本発明は、縦に張られたネット９と、天井と床との間に立てられたポール１０の少なくとも一方に、固定部１を固定するための固定具１１を備えて成ることを特徴とするものである。
【００２２】
この発明によれば、楽器置き台をネット９やポール１０に取り付けて使用することが可能になるものである。
【００２３】
また本発明は、スピーカー５２に脱着自在に取り付けられ、上記の固定部１を固定する取付具５３を備えて成ることを特徴とするものである。
【００２４】
この発明によれば、楽器を演奏するライブハウスやスタジオなどにおいて、演奏のモニターなどのために置かれているスピーカー５２に取付具５３を取り付けることによって、スピーカー５２に楽器置き台Ａを取り付けることができるものであり、スピーカー５２を利用して、楽器を保管することができるものである。
【００２５】
また本発明は、上記の取付具５３に、マイクロフォン５４を支持するマイクホルダー５５を設けて成ることを特徴とするものである。
【００２６】
この発明によれば、スピーカー５２の音を拾うマイクロフォン５４を、楽器置き台の取付具５３を利用して支持することができるものである。
【発明の効果】
【００２７】
本発明によれば、固定部１を壁面などに固定して取り付けた状態で、楽器受け部３に楽器２を支持させることによって、楽器２を壁面等に展示しつつ保管することができるものである。また楽器受け部３は弾性部４を介して固定部１に連結されているため、地震の際など揺れが生じても弾性部４で吸収されて振動が楽器受け部３に伝わることを抑制することができ、楽器２が壁面等から落下することを防ぐことができるものである。また、例えば、壁面などに上部穴６と下部穴７を通して固着具５を打入することによって固定部１を取り付けるにあたって、壁面などに固着具５を打入する位置を変更することなく、固着具５を通す上部穴６と下部穴７の位置を変更することによって、固定部１を壁面などに垂直姿勢で取り付けたり傾斜姿勢で取り付けたりすることができるものであり、楽器２を垂直姿勢や傾斜姿勢の好みの姿勢で壁面などに保管することができるものである。
【図面の簡単な説明】
【００２８】
【図１】本発明の実施の形態の一例を示すものであり、（ａ）は側面図、（ｂ）は正面図、（ｃ）は背面図、（ｄ）は平面図である。
【図２】同上の一部を破断して示す側面図である。
【図３】同上の一部を拡大して示すものであり、（ａ）は平面図、（ｂ）は正面図である。
【図４】同上の一部の拡大した正面図である。
【図５】同上の一部を拡大して示すものであり、（ａ）（ｂ）はそれぞれ正面図である。
【図６】同上の一部を拡大して示すものであり、（ａ）（ｂ）はそれぞれ正面図である。
【図７】同上の一部を拡大して示すものであり、（ａ）は正面図、（ｂ）は側面断面図、（ｃ）は正面図である。
【図８】本発明の実施の形態の他の一例を示すものであり、（ａ）（ｂ）はそれぞれ側面図である。
【図９】本発明の実施の形態の一例における使用の態様を示す正面図である。
【図１０】本発明の実施の形態の一例における使用の態様を示す側面図である。
【図１１】本発明の実施の形態の一例における使用の態様を示すものであり、（ａ）（ｂ）はそれぞれ一部を破断して示す側面図である。
【図１２】本発明の他の実施の形態の一例を示すものであり、（ａ）は下部受け部の斜視図、（ｂ）は下部受け部に受けシートを装着した斜視図である。
【図１３】同上の受けシートの平面図である。
【図１４】本発明の他の実施の形態の一例を示すものであり、（ａ）は側面図、（ｂ）は正面図である。
【図１５】本発明の他の実施の形態の一例を示すものであり、（ａ）は平断面図、（ｂ）は側面図、（ｃ）は正面図である。
【図１６】本発明の他の実施の形態の一例を示すものであり、（ａ）は斜視図、（ｂ）はマイクホルダーにマイクロフォンを取り付けた状態の斜視図である。
【図１７】同上に用いる取付具を示すものであり、（ａ）は正面図、（ｂ）は側面図、（ｃ）は平面図である。
【図１８】同上の取付具に用いる締付具を示すものであり、（ａ）は平面図、（ｂ）は正面図である。
【図１９】同上の取付具に用いるマイクホルダーを示すものであり、（ａ）は平面図、（ｂ）は側面図である。
【発明を実施するための形態】
【００２９】
以下、本発明の実施の形態を説明する。
【００３０】
図１は本発明の実施の形態の一例を示すものであり、固定部１はステンレス板など金属板で縦長矩形のプレートとして形成してある。この固定部１の下端には断面円弧状に屈曲すると共に屈曲先端を前方へ水平に突出させて支持部１５が形成してある。このように支持部１５の基部を円弧状に屈曲させることによって、円弧部４ａにばね弾性が生起され、この円弧部４ａで弾性部４が形成されるものであり、支持部１５は弾性部４によって上下に撓むことができるものである。
【００３１】
支持部１５の先端部の上面には上端が開口する円筒などで形成される下部筒体１６が立設してあり、この下部筒体１６の下端部において前方へ突出するように下部受け部３ａが設けてある。下部筒体１６には図２のように上端の開口から上部杆１７が差し込んで取り付けてあり、上部杆１７の上端に前方へ突出するように上部受け部３ｂが設けてある。図の実施の形態では楽器受け部３は、上下に対向して設けられるこの下部受け部３ａと上部受け部３ｂとを備えて形成するようにしてある。下部受け部３ａと上部受け部３ｂの形状は楽器２の種類に適応するように形成されるが、例えば楽器２としてギターなどの弦楽器を支持する場合、下部受け部３ａと上部受け部３ｂはそれぞれ二股形状に形成されるものである。例えば、下部受け部３ａは楽器２の下端部（ギターであればボディの下部）を載置して支持することができるように幅広い二股状に、上部受け部３ｂは楽器２の上部（ギターであればネック）を差し込んで保持することができるように幅狭い二股状に形成されるものである。
【００３２】
下部受け部３ａの基部には回転軸８が設けてあり、図２のように下部筒体１６の下端に形成した軸穴１９にこの回転軸８を差し込むことによって、下部筒体１６に回転軸８を回転自在に挿通してある。回転軸８に設けた一対のストッパー２０を下部筒体１６の前面側の外面と背面側の外面に当接させることによって、下部筒体１６から回転軸８が抜けないようにしてある。回転軸８は固定部１の外面と垂直で且つ水平に配置されるものであり、回転軸８が回転することによって下部受け部３ａは回転軸８を回動中心にして上下に揺動回動するものである。
【００３３】
また図３に示すように、回転軸８の先端には差込み突片２２が突設してあり、下部受け部３ａの基部に背方へ突設した連結軸２３には受け凹所２４が凹設してある。そして受け凹所２４に差込み突片２２を差し込んで、回転軸８と連結軸２３とを軸ピン２５で結合することによって、回転軸８に軸ピン２５で連結軸２３を回動自在に連結し、下部受け部３ａを軸ピン２５を中心として上下に回動できるようにしてある。このとき、回転軸８の差込み突片２２の両側には、下面が前方へ向けて４５°程度の角度で上り傾斜する下当接面２６となり、上面が前方へ向けて４５°程度の角度で下り傾斜する上当接面２７となる当接部２８が設けてあり、一方、連結軸２３の受け凹所２４の両側の後端面は、後方へ向けて４５°程度の角度で下り傾斜する当接面２９として形成してある。従って下部受け部３ａは、当接面２９が当接部２８の下当接面２６に当接する水平姿勢と、当接面２９が当接部２８の上当接面２７に当接する垂直姿勢との間で上下に回動することができるものである。
【００３４】
上記の上部受け部３ｂを設けた上部杆１７は、下部筒体１６に上下動自在に差し込んであり、図４に示すように、上部杆１７の下部筒体１６に差し込んだ下部には所定間隔で上下複数個所に係合凹部３１が凹設してある。また下部筒体１６の背面側の上部には係合ねじ３２が下部筒体１６の外面から内周へとねじ込んで設けてあり、この係合ねじ３２の先端を上部杆１７の任意の係合凹部３１に係合させることによって、上部杆１７を下部筒体１６に固定するようにしてある。
【００３５】
ここで、上部受け部３ｂも上部杆１７に上下回動自在に取り付けてある。上部杆１７への上部受け部３ｂの取付の構造は、回転軸８に下部受け部３ａを取り付ける既述の図３の構造と同じに形成することができるものであり（図３において回動軸８を上部杆１７と読み替える）、上部受け部３ｂは水平姿勢と垂直姿勢との間で上下に回動することができるものである。
【００３６】
上記の固定部１には上部穴６と下部穴７とがそれぞれ表裏に貫通して設けてある。図５に示す実施の形態では、上部穴６と下部穴７は固定部１の上部において、上下に対向する位置にそれぞれ同数の複数個ずつ設けてある。上部穴６と下部穴７はそれぞれ同じ円周上に沿って同じ一定間隔で設けられるものであり、固定部１の幅方向の中央に位置する上部穴６ａと下部穴７ａを中心にして左右同数に配列されるものである。図５の実施の形態では、上部穴６ａの左と右にそれぞれ一つずつ上部穴６ｂ，６ｃを配置し、下部穴７ａの右と左にそれぞれ一つずつ下部穴７ｂ，７ｃが配置されるようにしてあり、上部穴６ａと下部穴７ａ、上部穴６ｂと下部穴７ｂ、上部穴６ｃと下部穴７ｃが対となるものである。
【００３７】
上記のように形成される本発明の楽器置き台Ａは、室内外の壁面や柱など、室内外の垂直部材に取り付けて使用されるものである。例えば室内の壁面１２に楽器置き台Ａを取り付けるにあたっては、壁面１２に固定部１の背面を当接し、上部穴６と下部穴７の各一箇所に通してビスなどの固着具５を壁面１２に打ち込み、固定部１を壁面１２に固定することによって、図１（ａ）のように行なうことができるものである。このとき、固着具５は鉛直上下の二箇所において壁面１２に打入されるものであり、上部穴６と下部穴７のうち、中央の上部穴６ａと下部穴７ａに固着具５を通して打入することによって、固定部１が鉛直縦方向を向くように固定することができ、図１のように楽器置き台Ａを垂直姿勢で壁面１２に取り付けることができるものである。
【００３８】
そしてこのように楽器置き台Ａを壁面１２に取り付けた状態で、楽器受け部３に楽器２を支持させることによって、楽器置き台Ａで楽器２を室内などの壁面１２に保管することができるものである。このとき、楽器受け部３を上記のように下部受け部３ａと上部受け部３ｂで形成している場合には、楽器２の下部と上部の二箇所を保持することができ、楽器２を安定して支持することができるものである。例えば楽器２がギターなどの弦楽器の場合、ボディ２ａの下端部を下部受け部３ａの上に載置し、ネック２ｂを上部受け部３ｂで保持することができるものである。そして楽器２はその荷重を下部受け部３ａで支えた状態で保持されるので、バイオリンや三味線などネックのヘッドを引っ掛けて吊り下げるようなことができない楽器でも保持することができ、各種の楽器を保持することが可能になるものである。
【００３９】
尚、図１（ａ）（ｄ）に示すように、ゴムなどの弾性材で形成されるバンド４３を用い、バンド４３の両端のリング部４４を上部受け部３ｂの両端部に設けた溝部４５に嵌めて、バンド４３を上部受け部３ｂの先端間に掛けるようにすれば、ネック２ｂが上部受け部３ｂから抜け外れるようなことを確実に防ぐことができるものである。
【００４０】
上記のように楽器置き台Ａで楽器２を室内などの壁面１２に保管するにあたって、地震の際など、大きな揺れが生じたときに、壁面１２から楽器置き台Ａの固定部１に振動が伝わるが、楽器受け部３は弾性部４を介して固定部１に連結されているので、この振動は弾性部４のばね弾性によって吸収され、振動が楽器受け部３の下部受け部３ａや上部受け部３ｂに伝わることを抑制することができるものである。このため、下部受け部３ａや上部受け部３ｂが大きく振動することで楽器２が跳ね上がったりすることがなくなり、下部受け部３ａや上部受け部３ｂから楽器２が飛び出して、楽器２が壁面１２の下方へ落下するようなことを防ぐことができるものである。従って、地震時などに際して楽器２が壁面１２から落下して致命的な破損が楽器２に生じることを未然に防ぐことができるものである。また下部受け部３ａに楽器２を置くときの衝撃は、弾性部４が弾性変形することによって緩和されるものであり、楽器２への負荷をより少なくすることができるものである。
【００４１】
ここで、上記の図１等の実施の形態では、固定部１の下端を円弧状に屈曲することによって、この円弧部４ａにばね弾性を生起させて弾性部４を形成するようにしたが、これのみに限定されるものではなく、例えば図８（ａ）のように、コイルばねなどのばね体４ｂを弾性部４として用い、固定部１の支持部１５にこのばね体４ｂを介して下部筒体１６を立設するようにしてもよい。また図８(ｂ)のように、ゴムなどの弾性を有する弾性樹脂材４ｃを弾性部４として用い、固定部１の支持部１５にこの弾性樹脂材４ｃを介して下部筒体１６を立設するようにしてもよい。さらにばね体４ｂと弾性樹脂材４ｃを複合したもので弾性部４を形成するようにしてもよい。
【００４２】
上記のように楽器置き台Ａで楽器２を壁面１２に保管する場合、壁面１２に楽器２を展示することができるものであり、愛用の楽器２を室内のインテリアとして利用する効果を高く得ることができるものである。このとき、楽器置き台Ａを上記の図１（ｂ）のように垂直姿勢で壁面１２に取り付けることによって、楽器２を垂直姿勢で展示することができるが、傾斜させた状態で展示するほうがインテリア効果が高い楽器２もある。例えばギターなどは斜めにした状態で抱えて演奏するので、このような楽器２は傾斜姿勢で展示することが望まれることがある。
【００４３】
この場合には、固定部１に設けた上部穴６と下部穴７のうち、中央の上部穴６ａと下部穴７ａではなく、端部側の上部穴６ｂと下部穴７ｂ、あるいは上部穴６ｃと下部穴７ｃを選択して固着具５を打ち込むようにするものであり、上部穴６ｂと下部穴７ｂ、あるいは上部穴６ｃと下部穴７ｃが鉛直上下となるように、図５(ｂ)のように固定部１を傾斜させた状態で、固定部１を壁面１２に固定し、楽器置き台Ａを壁面１２に傾斜姿勢で取り付けるようにするものである。このように楽器置き台Ａを壁面１２に傾斜姿勢で取り付けることによって、図９に示すように、楽器２を傾斜姿勢で壁面１２に保管して展示することができるものである。
【００４４】
ここで、上記のように楽器置き台Ａを壁面１２に垂直姿勢で取り付けていた後、傾斜姿勢に取り付け直しをする場合、垂直姿勢にしていたときに図５（ａ）のように中央の上部穴６ａと下部穴７ａに打入した固着具５を抜き外し、傾斜姿勢にするときに図５（ｂ）のように上部穴６ｂと下部穴７ｂ、あるいは上部穴６ｃと下部穴７ｃに固着具５を打入する際には、先の垂直姿勢にしていたときに壁面１２に固着具５を打入することによって形成されている穴に、傾斜姿勢にするときに固着具５を打入することができるものである。従って、楽器置き台Ａを垂直姿勢から傾斜姿勢に、あるいはその逆に、付け替える際に、固着具５で新たな穴を壁面１２に形成する必要がなくなり、壁面１２に多くの穴をあけて壁面１２にダメージを与えるようなことを防ぐことができるものである。
【００４５】
上記の図５の実施の形態では、上部穴６と下部穴７を同一円周上に複数個ずつ設けるようにしたが、図６の実施の形態のように、上部穴６と下部穴７を同一円周上に沿った円弧状の長孔として形成するようにしてもよい。この場合には、上部穴６と下部穴７に打入したビスなどの固着具５を緩めることによって、円弧状の長孔の上部穴６と下部穴７を固着具５に対してスライドさせるようにして、図６（ａ）（ｂ）のように固定部１の取り付け角度を変えることができ、楽器置き台Ａを垂直姿勢から傾斜姿勢に変更したり、傾斜姿勢から垂直姿勢に変更したりすることができるものである。この場合も、固着具５で壁面１２に多くの穴をあけるような必要なく、楽器置き台Ａの姿勢を変更することができるものである。
【００４６】
また図７の例では、固定部１に円形の開口部３９を形成し、上部穴６と下部穴７を貫通して設けた円板４０の背面に円形の凸部４１を突設し、凸部４１を開口部３９にはめ込んだ状態で円板４０の外周部を開口部３９の周縁の外面に当接させるようにしてある。このものでは、上部穴６と下部穴７から固着具５を壁面１２に打ち込んで、円板４０の外周部を開口部３９の周縁において固定部１の外面に圧接させることによって、円板４０で固定部１を押えて固定することができるものである。そして上部穴６と下部穴７に打入した固着具５を緩めることによって、図７（ａ）（ｃ）のように固定部１の取り付け角度を変えることができ、楽器置き台Ａを垂直姿勢から傾斜姿勢に変更したり、傾斜姿勢から垂直姿勢に変更したりすることができるものである。
【００４７】
ここで上記のように、楽器置き台Ａを傾斜姿勢で壁面１２に取り付ける場合、楽器受け部３の下部受け部３ａも同様に傾斜すると、楽器２の下部を下部受け部３ａに安定して載置することができず、楽器２の支持が不安定になる。このため本発明では、上記のように下部受け部３ａの基部に設けた回転軸８を下部筒体１６に回転自在に挿通し、回転軸８を中心にして下部受け部３ａが上下に揺動回動できるようにしてある。このように下部受け部３ａが揺動回動自在であると楽器置き台Ａが傾斜姿勢であっても、図９のように、楽器２の下部を下部受け部３ａの上に載置するときに下部受け部３ａは水平状態になり、水平状態の下部受け部３ａで楽器２の下部を安定して載置することができ、楽器２の支持を安定して行なうことができるものである。
【００４８】
また、壁面１２に取り付けた楽器置き台Ａに楽器２を保管しないときには、楽器置き台Ａの室内側へ突出する楽器受け部３の下部受け部３ａや上部受け部３ｂが邪魔になることがある。このため本発明では上記のように、下部受け部３ａや上部受け部３ｂを上下に回動させることができるようにしてあり、楽器置き台Ａに楽器２を保管するときには、下部受け部３ａや上部受け部３ｂを水平姿勢になるように室内側へ突出させるようにし、楽器置き台Ａに楽器２を保管しないときには、図１０に示すように、下部受け部３ａや上部受け部３ｂを上方へ回動させて垂直姿勢になるように折り畳み、下部受け部３ａや上部受け部３ｂの室内への突出寸法を小さくして邪魔にならないようにしてある。このとき、上記のように当接面２９が当接部２８の下当接面２６に当接することで、下部受け部３ａや上部受け部３ｂの水平姿勢が安定して保たれるようにしてあり、また当接面２９が当接部２８の上当接面２７に当接することで、下部受け部３ａや上部受け部３ｂの垂直姿勢が安定して保たれるようにしてある。
【００４９】
また上記のように楽器受け部３を下部受け部３ａと上部受け部３ｂで形成して、楽器２の下部と上部を支持する場合、楽器２には大きなものと小さなもの、例えば弦楽器においてはギターのように大きなものとバイオリンやウクレレのように小さなものがあるので、楽器２の大きさに合わせて下部受け部３ａと上部受け部３ｂの上下方向の間隔を調整する必要がある。このため本発明では上記のように、上部受け部３ｂを設けた上部杆１７を下部筒体１６に上下動自在に差し込んで取り付けるようにしてあり、上部杆１７を上下させて上部受け部３ｂの高さを調整することによって、図１１（ａ）のように下部受け部３ａと上部受け部３ｂの間隔Ｈ１を大きくしたり、図１１（ｂ）のように下部受け部３ａと上部受け部３ｂの間隔Ｈ２を小さくしたりして、下部受け部３ａと上部受け部３ｂの間隔を楽器２の大きさに適合した寸法に調整できるようにしてある。このように上部杆１７を上下させて調整した後、図４のように下部筒体１６に設けた係合ねじ３２をねじ込むことによって、係合ねじ３２の先端を上部杆１７に上下複数個所において設けた係合凹部３１のうち、係合ねじ３２に対応する位置の係合凹部３１に係合ねじ３２の先端を係合させることによって、上部杆１７を下部筒体１６に固定し、上部受け部３ｂを調整した高さに固定することができるものである。
【００５０】
ここで上記のように楽器受け部３を下部受け部３ａと上部受け部３ｂで形成するにあたって、下部受け部３ａは上記のように二股形状に形成してある。図１２（ａ）は下部受け部３ａの一例を示すものであり、上記の実施の形態では下部受け部３ａを上方へ回動させて折り畳むことができるようにしたが、図１２（ａ）の実施の形態では回転軸８の先端部から一対の受け片５０を平面コ字形に分岐させて前方へ延出させることによって下部受け部３ａを回転軸８と一体に形成してある。そしてこのように二股形状に形成される下部受け部３ａに上記のように楽器２の下部を載置することによって、楽器２を支持するものであるが、図１（ｂ）に示すように、楽器２の下部は二股状の一対の受け片５０の間に掛け渡した状態で載置される。
【００５１】
このとき、ギターなどのように比較的大きい楽器２では、ボディ２ａの下端部を下部受け部３ａの二股状の受け片５０の間に掛け渡した状態で載置することができるが、楽器２がバイオリンやウクレレなどのように小さく、ボディの幅が二股状の受け片５０の間隔より小さい場合には、楽器２の下部を下部受け部３ａに載置することができない。そこで、図１２（ｂ）のように受けシート５１を下部受け部３ａの二股状の受け片５０の間に掛け渡して取り付けることによって、小さい楽器２を保持することができるようにしてある。
【００５２】
受けシート５１はシリコン、ウレタン、ゴムなどの弾性を有する柔軟なシートで形成されるものであり、図１３に示すように、全体形状を略楕円形に形成すると共に後縁の中央部に後取付片６０を舌片状に延出し、さらに前面に亘って多数の通孔６０ａが穿設してある。この後取付片６０には後挿通孔６１が穿設してあり、また前後一対の側部挿通孔６２ａ，６２ｂが受けシート５１の両側端部にそれぞれ穿設してある。そして下部受け部３ｂの一対の各受け片５０を受けシート５１の両側端部の各側部挿通孔６２ａ，６２ｂに差し込む。このとき、後側に位置する側部挿通孔６２ｂに受けシート５１の下側から受け片５０を差し込んだ後に、前側に位置する側部挿通孔６２ａに受けシート５１の上側から受け片５０を差し込むようにするものであり、さらに後挿通孔６１に受けシート５１の上側から、回転軸８をその後端より差し込むことによって、図１２（ｂ）のように受けシート５１を二股状の受け片５０の間に掛け渡して取り付けるようにしてある。各受け片５０に両側端部の側部挿通孔６２ａ，６２ｂを挿通するだけでなく、回転軸８を後挿通孔６１に挿通することによって、側部挿通孔６２ａ，６２ｂから受け片５０が抜けて受けシート５１が下部受け部３ａから脱落することを防ぐことができるものである。
【００５３】
このように下部受け部３ａの受け片５０の間に掛け渡して受けシート５１を取り付けることによって、楽器２の下部の幅が二股状の受け片５０の間隔より小さくても、受け片５０の間においてこの受けシート５１の上に楽器２の下部を載置することができるものである。従って、オプションとして受けシート５１を用いることによって、バイオリンやウクレレなどのような小さい楽器２も楽器置き台Ａに保持することができるものであり、楽器置き台Ａをギターなどのような大きな楽器２でも、バイオリンやウクレレなどのような小さい楽器２でも、兼用して保持することが可能になるものである。
【００５４】
上記では、室内外の垂直部としての壁面１２に楽器置き台Ａを取り付けるようにした例を説明したが、室内外の垂直部は壁面１２のみではなく、柱などもあり、柱などに楽器置き台Ａを上記と同様にして取り付けることもできるものである。また、室内外には縦にネット９を張って、このネット９に種々のものを取り付けるようにしたものもあり、また天井と床との間にポール１０を立てる場合もある。本発明では、このようなネット９やポール１０を室内外の垂直部として楽器置き台Ａを取り付けることができる。このときには、固定具１１を用いてネット９やポール１０に楽器置き台Ａを取り付けるようにする。
【００５５】
まずネット９に楽器置き台Ａを取り付ける場合を図１４で説明する。この場合は固定具１１として、ネット用の固定具１１ａを用いる。ネット用固定具１１ａは固定板３４の前面側に上下一対の固着具５を突設して形成されるものであり、この固着具５はボルト３５によって形成してある。
【００５６】
そして固定部１をネット９の前面側の片面に配置すると共にネット９の背面側の片面にネット用固定具１１ａを配置し、ネット９の網目を通してネット用固定具１１ａのボルト３５を固定部１の上部穴６と下部穴７に挿通した後、上部穴６と下部穴７から突出するボルト３５の先部にナット３６を螺合して締め付けることによって、固定部１とネット用固定具１１ａの間にネット９を挟み込む。このようにしてネット固定具１１ａを用いてネット９に固定部１を固定することで、楽器置き台Ａを図１４（ａ）（ｂ）のようにネット９に取り付けることができるものである。このとき、同一円周上に配置される上部穴６と下部穴７にネット用固定具１１ａのボルト３５を差し込んで固定部１の固定を行なうので、上記と同様に、楽器置き台Ａを垂直姿勢でも傾斜姿勢でも取り付けることができるものである。
【００５７】
次にポール１０に楽器置き台Ａを取り付ける場合を図１５で説明する。ポール１０としては、上下に伸縮すると共に伸張する方向にばね付勢されたものを用いることができるものであり、上端を天井に、下端を床に圧接させた状態で、天井と床との間に立てるようにしてある。このポール１０はネジ止めなどの施工をする必要なく、室内の任意の箇所に立てることができるものである。
【００５８】
このポール１０に楽器置き台Ａを取り付ける場合は、固定具１１としてポール用固定具１１ｂを用いる。ポール用固定具１１ｂは、固定板３４の背面側に上下一対のＵ字ボルト３７を取り付けると共に、固定板３４の前面側に上下一対の固着具５を突設して形成されるものであり、この固着具５はボルト３５によって形成してある。
【００５９】
そして図１５（ａ）のようにＵ字ボルト３７をポール１０の外周に嵌めることによって固定板３４をポール１０に取り付け、ポール用固定具１１ｂのボルト３５を固定部１の上部穴６と下部穴７に挿通し、上部穴６と下部穴７から突出するボルト３５の先部にナット３６を螺合して締め付けることによって、ポール用固定具１１ｂに固定部１を固定する。このようにして図１５（ｂ）（ｃ）のようにポール用固定具１１ｂを介して楽器置き台Ａをポール１０に取り付けることができるものである。このときも、同一円周上に配置される上部穴６と下部穴７にポール用固定具１１ｂのボルト３５を差し込んで固定部１の固定を行なうので、上記と同様に、楽器置き台Ａを垂直姿勢でも傾斜姿勢でも取り付けることができるものである。
【００６０】
上記のように室内外の垂直部として、壁、ネット、ポールなどに楽器置き台Ａを取り付ける他に、室内外に設置される器具の垂直面に楽器置き台Ａを取り付けて使用することもできる。例えば、ライブハウスのステージやスタジオなどにおいて、楽器を演奏するフロアーには、アンプ付きのスピーカー５２が設置されており、演奏者はこのスピーカー５２の音をモニターしながら演奏を行なうことになる。そして楽器は演奏フロアー上のスタンドに立て掛けて、演奏フロアー上に置くようにしているが、楽器やスタンドに接触して転倒させる危険がある。そこで、スピーカー５２の前面に楽器置き台Ａを取り付け、スピーカー５２の前面において楽器を保持することによって、楽器を転倒させる危険を回避することができるものである。
【００６１】
スピーカー５２の前面に楽器置き台Ａを取り付けるにあたっては、図１７に示す取付具５３を用いる。取付具５３は受け金具６５と、受け金具６５に装着される取付ベルト６６とを備えて形成されるものであり、受け金具６５は前片６７と前片６７の上端から後方へ屈曲延出した上片６８から倒Ｌ字形に形成されるものである。取付ベルト６６は短い寸法の引張ベルト６９と、長い寸法の締付ベルト７０からなるものである。引張ベルト６９の一端部は受け金具６５の上片６８の後端部に形成した通し孔７１に通して固定してあり、引張ベルト６９の他端部は締付具７２に固定してある。また締付ベルト７０の一端部は受け金具６５の前片６７の下端部に形成した通し孔７３に通して固定してあり、締付ベルト７０の他端部は締付具７２に通してある。７４はスピーカー５２の前面下部の角部を保護するために締付ベルト７０に通して設けたコーナーベルトである。
【００６２】
締付具７２は図１８に示すように、一対の側板７６の一方の端部間にベルト挟み軸７７を、他方の端部間にベルト通し軸７８をそれぞれ設け、このベルト挟み軸７７とベルト通し軸７８の間の位置において側板７６間に回動挟み具７９を設けることによって形成されるものである。回動挟み具７９は一端部に設けた回転軸８０で回動自在に締付具７２に設けられるものであり、回動挟み具７９の他端の外面に滑り止め凹凸８１が形成してある。そして図１８（ｂ）に鎖線で示すように、引張ベルト６９の上記他端部は、ベルト挟み軸７７の外周に巻き掛けて固定してあり、また締付ベルト７０の上記他端部は、ベルト通し軸７８と回動挟み具７９の間に上側から差し込むと共に、回動挟み具７９の下側を潜らせて、回動挟み具７９とベルト挟み軸７７の間を下側から上側へと通すようにしてある。
【００６３】
また受け金具６５の前片６７の上部には、ボルト３５によって形成される上下一対の固着具５が前方へ突出して設けてあり、この前片６７の下部の前面側にはマイクホルダー５５が取り付けてある。マイクホルダー５５は、前面側に開口する断面Ｃ字形に形成され左右に開口する差込筒部８３と、平面形状がＵ字形に屈曲して形成されるダンパー部８４とを備え、Ｕ字形のダンパー部８４の一辺８４ａの外面に差込筒部８３を固定して、図１９のように形成されるものであり、Ｕ字形のダンパー部８４の他辺８４ｂを受け金具６５の前片６７の下部に固定することによって、前片６７の前面側にマイクホルダー５５を取り付けるようにしてある。
【００６４】
上記のように形成される取付具５３をスピーカー５２に取り付けるにあたっては、受け金具６５の上片６８をスピーカー５２の上面に載置すると共に前片６７をスピーカー５２の前面に沿わせて配置し、また取付ベルト６６をスピーカー５２の前面下部、下面、背面、上面後部に掛け渡して配置することによって、取付具５３でスピーカー５２の全周を囲むようにする（図１７（ａ）参照）。そしてこの状態で、取付ベルト６６に設けた締付具７２に通して上方へ突出している締付ベルト７０の一端部を図１７（ａ）のａ矢印のように上方へ引き上げることによって、締付ベルト７０をスピーカー５２の下面や背面に締め付ける。ここで図１８（ａ）にａ矢印で示すように、締付ベルト７０の一端部を締付具７２の上方へ引き上げるときには、ベルト挟み具７９もｂ矢印のように上方へ回動する。そして締付ベルト７０を上方へ引き上げる力を解除すると、締付ベルト７０の表面への滑り止め凹凸８１の引掛かりでベルト挟み具７９はｃ矢印のように下方へ回動し、締付ベルト７０はベルト挟み具７９とベルト挟み軸７７の間に挟まれて固定され、締付ベルト７０の締め付け力は緩まない。このようにして、取付ベルト６６の締付ベルト７０をスピーカー５２の外面に締め付けることによって、取付具５３の受け金具６５をスピーカー５２の前面部に取り付けることができるものである。
【００６５】
そしてこのようにスピーカー５２に取付具５３の受け金具６５を取り付けた後、受け金具６５の前片６７に突設したボルト３５に固定部１の上部穴６と下部穴７を被挿し、上部穴６と下部穴７から突出するボルト３５の先部にナット３６を螺合して締め付けることによって、受け金具６５に固定部１を固定することができるものである。このようにして図１６（ａ）のように、取付具５３によって楽器置き台Ａをスピーカー５２の前面に取り付けることができるものであり、この楽器置き台Ａに楽器２を保持させることによって、スピーカー５２の前面に楽器２を保持することができるものである。このとき、同一円周上に配置される上部穴６と下部穴７に受け金具６５のボルト３５を差し込んで固定部１の固定を行なうので、上記と同様に、楽器置き台Ａを垂直姿勢でも傾斜姿勢でも取り付けることができるものである。
【００６６】
また、スピーカー５２の前面に取り付けた取付具５３の受け金具６５にはマイクホルダー５５が設けてあり、このマイクホルダー５５の差込筒部３３にマイクロフォン５４を差し込むことによって、図１６（ｂ）のように取付具５３の受け金具６５でマイクロフォン５４を保持することができるようにしてある。このようにして、スピーカー５２の前面に配置した状態でマイクロフォン５４を保持することができるものであり、スピーカー５２からの音をマイクロフォン５４で拾って、チューニングなどをすることができるものである。また、マイクホルダー５５にはダンパー部８４が設けてあり、スピーカー５２からマイクロフォン５４に伝搬する振動を吸収して減少することができるものであり、スピーカー５２の音をクリアーに拾うことができるものである。
【００６７】
ここで従来は、スピーカー５２からの音を拾うマイクロフォン５４は、スピーカー５２の前方において床の上に置かれるのが一般的であるが、マイクロフォン５４やそのコードに触れることによって、スピーカー５２に対するマイクロフォン５４の位置がずれてしまうことがある。これに対して上記のように、スピーカー５２の前面に楽器置き台Ａを取り付けるための取付具５３を利用して、マイクロフォン５４をスピーカー５２の前面に保持することができるようにすることによって、マイクロフォン５４が位置ずれしたりすることを防ぐことができるものである。
【符号の説明】
【００６８】
１  固定部
２  楽器
３  楽器受け部
４  弾性部
５  固着具
６  上部穴
７  下部穴
８  回転軸
９  ネット
１０  ポール
１１  固定具
５０  受け片
５１  受けシート
５２  スピーカー
５３  取付具
５４  マイクロフォン
５５  マイクホルダー
【図１】
0004764492.tif 000002
【図２】
0004764492.tif 000003
【図３】
0004764492.tif 000004
【図４】
0004764492.tif 000005
【図５】
0004764492.tif 000006
【図６】
0004764492.tif 000007
【図７】
0004764492.tif 000008
【図８】
0004764492.tif 000009
【図９】
0004764492.tif 000010
【図１０】
0004764492.tif 000011
【図１１】
0004764492.tif 000012
【図１２】
0004764492.tif 000013
【図１３】
0004764492.tif 000014
【図１４】
0004764492.tif 000015
【図１５】
0004764492.tif 000016
【図１６】
0004764492.tif 000017
【図１７】
0004764492.tif 000018
【図１８】
0004764492.tif 000019
【図１９】
0004764492.tif 000020